(57)【要約】【課題】指の位置決めが容易かつ確実であり、ネイルフォームに問題なく使用できる樹脂硬化装置を提供すること。【解決手段】手指を載置するための台部２の表面の紫外線照射域２３に上方から紫外線を照射する発光体３２と、台部２の手首載置側の一端から伸びる指方向直線の箇所に設けられたネイルフォーム４の突起部４２を挿入するためのスリット２１とを備え、紫外線照射域２３に２つで１組の指位置ガイド２２を備える樹脂硬化装置１を提供する。ここで、２つの指位置ガイド２２を指方向直線の両側にそれぞれ１つ備え、距離を５ｍｍ〜１０ｍｍとすることで、指の位置決めを容易かつ確実にできる。また、ネイルフォーム４の突起部４２がスリット２１に挿入され、ネイルフォーム４が使用の妨げとならない。【選択図】図８
2016016165.tif 000002
【特許請求の範囲】
【請求項１】
爪に塗布された樹脂に紫外線を照射して硬化させる樹脂硬化装置であって、
手指を載置するための台部と、
前記台部表面の紫外線照射域に上方から紫外線を照射する発光体と、
前記台部の手首載置側の一端から伸びる指方向直線の箇所に設けられたネイルフォームの突起部を挿入するためのスリットとを備え、
前記台部は前記紫外線照射域に２つで１組の指位置ガイドを備え、
前記２つの指位置ガイドは、その間の距離が５ｍｍ〜１０ｍｍで、前記指方向直線の両側にそれぞれ１つが備えられていることを特徴とする、樹脂硬化装置。
【請求項２】
前記台部の手首載置側の一端から平行に又は放射状に伸びる５の前記指方向直線の箇所に設けられた５の前記スリットと、
各々のスリットに対応する５組の前記指位置ガイドとを備えることを特徴とする、請求項１に記載の樹脂硬化装置。
【請求項３】
前記５の指方向直線は、中央の１の指方向直線（中指方向直線）と、前記中指方向直線に対して対称の位置に設けられた２の指方向直線（人差指及び薬指方向直線）と、前記中指方向直線に対して対称の位置に設けられ前記人差指及び薬指方向直線よりも前記中指方向直線から離れている２の指方向直線（親指及び小指方向直線）とからなることを特徴とする、請求項２に記載の樹脂硬化装置。
【請求項４】
前記親指及び小指方向直線の前記中指方向直線と反対の側に１組の親指位置ガイドが備えられ、
全部で７組の前記指位置ガイドとを備えることを特徴とする、請求項３に記載の樹脂硬化装置。
【請求項５】
前記指位置ガイドが前記台部表面から突起した凸状体であることを特徴とする、請求項１〜４のいずれか１項に記載の樹脂硬化装置。
【請求項６】
前記紫外線照射域は、前記指方向直線に沿って前記指位置ガイドから前記手首載置側の一端と逆側に１５ｍｍ以上の領域を含むことを特徴とする、請求項１〜５のいずれか１項に記載の樹脂硬化装置。
【発明の詳細な説明】
【技術分野】
【０００１】
本発明は、爪に塗布された光硬化性樹脂を硬化させる樹脂硬化装置に関する。
【背景技術】
【０００２】
爪に光硬化性の樹脂を塗布し、光（紫外線）を照射して樹脂を硬化させるジェルネイルを使用した技術が知られている。ジェルネイルを硬化させるためには、箱体に手指を挿入し、挿入された手指の爪の位置に紫外線を照射する樹脂硬化装置が用いられる。
【０００３】
樹脂硬化装置においては、紫外線ＬＥＤが発光体として用いられ、その紫外線照射域に爪を置くことが必要である。しかし、内部を視認し難い箱体内における爪（指）の位置を正確に定めることは容易ではない。
【０００４】
この問題に対応するものとして、特許文献１には、指を載置する位置にくぼみを設けた樹脂硬化装置が開示されている。また、特許文献２には、ＬＥＤ照射体の位置及び角度を可変として爪位置のずれに対応する樹脂硬化装置が開示されている。
【０００５】
最近、特許文献３に開示されたように、爪の先に延ばして樹脂を塗布し、爪に塗布した樹脂と合わせて硬化させて、全体として長い爪のように見せることができる、ネイルフォームが用いられている。
【０００６】
ネイルフォームを使用する場合、樹脂硬化装置は、以下の点に留意して設計する必要がある。（１）爪のみならず爪の先に延ばした樹脂にも紫外線を照射する必要がある。（２）ネイルフォームは、フィルム等のシート体を指に巻いて使用する。巻かれたシート体の余部が指の掌側（爪の裏側）に突起する。かかる突起部が指の移動や位置決めを妨げないようにする必要がある。特許文献１及び２に開示された樹脂硬化装置は、これらの点を考慮したものではない。
【先行技術文献】
【特許文献】
【０００７】
【特許文献１】特開２０１３−２４８０３４号公報
【特許文献２】特開２０１１−０７８６３８号公報
【特許文献３】特開２０１１−１６７３１５号公報
【発明の概要】
【発明が解決しようとする課題】
【０００８】
本発明は、指の位置決めが容易かつ確実であり、ネイルフォームに問題なく使用できる樹脂硬化装置を提供することを課題とする。
【課題を解決するための手段】
【０００９】
本発明の樹脂硬化装置は、
爪に塗布された樹脂に紫外線を照射して硬化させる樹脂硬化装置であって、
手指を載置するための台部と、
前記台部表面の紫外線照射域に上方から紫外線を照射する発光体と、
前記台部の手首載置側の一端から伸びる指方向直線の箇所に設けられたネイルフォームの突起部を挿入するためのスリットとを備え、
前記台部は前記紫外線照射域に２つで１組の指位置ガイドを備え、
前記２つの指位置ガイドは、その間の距離が５ｍｍ〜１０ｍｍで、前記指方向直線の両側にそれぞれ１つが備えられていることを特徴とする。
【００１０】
ネイルフォームの突起部は、スリットに挿入することで、指の移動や位置決めの妨げにならなくなる。
指位置ガイドによって爪を紫外線照射域に置くことが確実にできる。
【００１１】
本発明の樹脂硬化装置は、
前記台部の手首載置側の一端から平行に又は放射状に伸びる５の前記指方向直線の箇所に設けられた５の前記スリットと、
各々のスリットに対応する５組の前記指位置ガイドとを備えることを特徴とする。
【００１２】
５本の指にそれぞれ対応したスリットと指位置ガイドを設ける。
【００１３】
本発明の樹脂硬化装置は、
前記５の指方向直線は、中央の１の指方向直線（中指方向直線）と、前記中指方向直線に対して対称の位置に設けられた２の指方向直線（人差指及び薬指方向直線）と、前記中指方向直線に対して対称の位置に設けられ前記人差指及び薬指方向直線よりも前記中指方向直線から離れている２の指方向直線（親指及び小指方向直線）とからなることを特徴とする。
【００１４】
中指方向直線の中心に、他の４本の直線を対称に配する。１の樹脂硬化装置が右手と左手の双方に対応する。
【００１５】
本発明の樹脂硬化装置は、
前記親指及び小指方向直線の前記中指方向直線と反対の側に各１組の親指位置ガイドが備えられ、
全部で７組の前記指位置ガイドとを備えることを特徴とする。
【００１６】
親指と小指とでは、長さ及び中指に対する角度が大きく相違するので、それぞれの指位置ガイドを別々に設ける。
【００１７】
本発明の樹脂硬化装置は、
前記指位置ガイドが前記台部表面から突起した凸状体であることを特徴とする。
【００１８】
凸状体は、指が接触した際に、接触感が確実に伝達される。
【００１９】
本発明の樹脂硬化装置は、
前記紫外線照射域は、前記指方向直線に沿って前記指位置ガイドから前記手首載置側の一端と逆側に１５ｍｍ以上の領域を含むことを特徴とする。
【００２０】
ネイルフォームの延長爪にも、紫外線が確実に照射される。
【発明の効果】
【００２１】
本発明の樹脂硬化装置によれば、指の位置決めが容易かつ確実であり、ネイルフォームに問題なく使用できる樹脂硬化装置が提供される。
【図面の簡単な説明】
【００２２】
【図１】図１は、樹脂硬化装置の全体構成を示す図である。（実施例１）
【図２】図２は、台部を示す図である。（実施例１）
【図３】図３は、発光蓋部を示す図である。（実施例１）
【図４】図４は、樹脂硬化装置の使用例を示す図である。（実施例１）
【図５】図５は、ネイルフォームを示す図である。（実施例２）
【図６】図６は、ネイルフォームを装着した指を示す図である。（実施例２）
【図７】図７は、ネイルフォームとスリットの関係を示す図である。（実施例２）
【図８】図８は、樹脂硬化装置の使用例を示す図である。（実施例２）
【発明を実施するための形態】
【００２３】
以下、ネイルフォームを用いない実施例１、ネイルフォームを用いる実施例２について説明する。
【実施例１】
【００２４】
図１は、樹脂硬化装置の全体構成を示す図である。樹脂硬化装置は、台部２を発光蓋部３で被覆してなる。台部２の上方に指挿入孔３１が設けられ、台部２と発光蓋部３との間に指（手）を挿入することができる。台部２の上方及び前方には、スリット２１（２１ａ〜２１ｅ）が設けられている。
【００２５】
図２は、台部を示す図である。台部２を上方から見た図である。図の下側が指挿入孔３１の箇所である。５本のスリット２１ａ〜２１ｅは、指挿入孔３１の側（手首載置側）から平行に設けられている。なお、図の上側が広がるように放射状に設けてもよい。
【００２６】
台部２には、７組の指位置ガイド２２（２２ａ〜２２ｇ）が設けられ、そのうち２２ａ〜２２ｅの５組は、スリット２１ａ〜２１ｅの近傍に設けられている。指位置ガイド２２は２つの凸状小突起であり、指に触れることで位置をガイドする。指の幅に合わせ、２つの凸状小突起の間隔は５ｍｍ〜１０ｍｍであることが好ましい。本実施例では、８ｍｍとする。
【００２７】
５本のスリット２１ａ〜２１ｅは、指で触れることができ、指を挿入する際に指を指位置ガイドに導く効果を有する。各々のスリットと指の関係は、以下のようになる。（１）スリット２１ａは、左手小指に対応する。（２）スリット２１ｂは、右手人差指及び左手薬指に対応する。（３）スリット２１ｃは、右手中指及び左手中指に対応する。（４）スリット２１ｄは、右手薬指及び左手人差指に対応する。（５）スリット２１ｅは、右手小指に対応する。
【００２８】
他の２つの指位置ガイド２２ｆ及び２２ｇは、スリットのない位置に設けられている。親指の位置をガイドするものである。親指に対応するスリットは設けられておらず、親指は５本のスリットの外側（右手親指はスリット２１ａよりも図の左側、左手親指はスリット２１ｅよりも図の右側）に置かれる。なお、親指に対応するスリットを設け全部で７本のスリットとしてもよいが、後述のとおり、親指に対応するスリットは必ずしも必要ではない。
【００２９】
以上に述べた台部２により、指を樹脂硬化装置１に挿入する際には、人差指から小指までの４本の指をスリット２１に沿って挿入して指位置ガイド２２の位置に置くことができる。親指についてはスリットがないが、他の４本の指を指位置ガイド２２の位置に置いて親指位置ガイド２２ｆ又は２２ｇに当たるように動かせばよい。
【００３０】
５本の指が全て、指位置ガイド２２の位置に置かれる。７組の指位置ガイド２２（２２ａ〜２２ｇ）は、紫外線照射域２３（２３ａ〜２３ｇ）の中にある。すなわち、指位置ガイド２２に指を置いて紫外線を照射すると、５本の指の爪の全てに紫外線が照射される。
【００３１】
なお、紫外線照射部２３は、指位置ガイド２２から奥側（図の上側）に広い。爪のみならずネイルフォームにも紫外線を照射するため、指位置ガイドから奥側に１５ｍｍ以上広がっていることが好ましい。
【００３２】
図３は、発光蓋部を示す図である。発光蓋部３を下方から見た図である。発光蓋部３には、７個の発光体３２（３２ａ〜３２ｇ）が、台部２の上方にある天井部３３に設けられている。発光体３２ａ〜３２ｇは紫外線ＬＥＤであり、スイッチ（非図示）の操作により発光して台部２の紫外線照射域２３ａ〜２３ｇにそれぞれ紫外線を照射する。
【００３３】
発光体３２ａ〜３２ｇは真円形であるが、図１に示すように天井部が傾斜を持っており、紫外線照射部２３は楕円系となる。
【００３４】
側部３４は、台部２の上方で天井部３３を支える。台部２と天井部３３との間に指挿入孔３１が形成される。
【００３５】
発光体は、３２ａ〜３２ｇの７個に限定されず、他のものを更に設けてもよい。紫外線照射域２３を設ける位置や、紫外線の強度を設計し、それに合わせて発光体を設ければよい。例えば、１本の指に対応する発光体を２つ設けてもよい。
【００３６】
図４は、樹脂硬化装置の使用例を示す図である。図２に示した台部２に、指位置ガイド２２に従って指を置いた状態を示す図である。図は、右手のものであるが、左手でも同様である。
【００３７】
５本の指の爪の全てが、紫外線照射域２３（２３ｂ、２３ｃ、２３ｄ、２３ｅ及び２３ｆ）に入っており、紫外線が照射されて表面の樹脂が硬化される。なお、左手の場合には、紫外線照射域２３ａ、２３ｂ、２３ｃ、２３ｄ及び２３ｇに爪が入る。
【００３８】
本実施例は、５本の指を同時に処理する樹脂硬化装置であるが、樹脂硬化装置は５本の指を同時に処理するものでなくてもよい。例えば、１本の指を処理するものであってもよい。後述の実施例２についても同様である。
【実施例２】
【００３９】
本実施例は、ネイルフォームを用いるものである。樹脂硬化装置１は実施例１と同一であり、詳細な説明を省略する。
【００４０】
図５は、ネイルフォームを示す図である。ネイルフォーム４は、樹脂をシート体４２の例えば図において点線で境界を示した箇所の上に塗布し、その樹脂を硬化させて得られる延長爪４１を爪の先端に付するためのものである。
【００４１】
シート体４２には爪孔４３が設けられ、爪を露出して、延長爪４１のための樹脂を爪にに接続して塗布することができる。
【００４２】
粘着性を有するシート体４２の裏面は、台紙４４に貼られている。台紙４４をシート体４２からはがし、シート体４２を指に巻き付けることができる。
【００４３】
図６は、ネイルフォームを装着した指を示す図である。シート体４２を指に巻き付け、爪孔４３から爪５１を露出して、爪５１とシート体４２（のうち延長爪を形成したい部分）に樹脂を塗布したものである。塗布された樹脂（爪に塗布されたもの及び延長爪４１を形成するもの）を網掛けで示す。
【００４４】
シート体４２は、下方において、裏面同士が貼合され、２枚が合わされて１枚形状に突起している。図６において１点鎖線で示した箇所よりも下側が、かかる突起部である。
【００４５】
図７は、ネイルフォームとスリットの関係を示す図である。ネイルフォームを装着した指５を台部２の上に置き、突起部４２をスリット２１に挿入する。指５は、突起部４２がない場合と同一の位置（上下方向の位置）に置かれることができ、指位置ガイド２２に接触し、紫外線を正しく照射されることができる。
【００４６】
仮にスリット２１がないものとすると、突起部４２によって指５が上方に押されてしまい、指位置ガイド２２に接触せず、紫外線が正しく照射ように指を置くことが困難となる。
【００４７】
図８は、樹脂硬化装置の使用例を示す図である。台部２に、ネイルフォームを装着した指を置いた状態を示す図である。図は、右手のものであるが、左手でも同様である。
【００４８】
人差指から小指までの４本の指の装着されたネイルフォーム４（４ｂ〜４ｅ）は、突起部がスリット２１（２１ｂ〜２１ｅ）に挿入される。これにより、指を正しい位置に置くことができる。
【００４９】
なお、親指についてはスリット２１が設けられていないが、親指は台部２に対して傾斜している。親指に装着されたネイルフォーム４ｆは、突起部４２ｆが台部２の上にあり、スリットがなくても問題ない。
【００５０】
紫外線照射域２３（２３ｂ〜２３ｆ）は、爪の先のネイルフォームに塗布された樹脂４１の位置を含むように広がっている。紫外線が照射されて延長爪４１が形成される。
【産業上の利用可能性】
【００５１】
指の位置決めが容易かつ確実であり、ネイルフォームに問題なく使用できる樹脂硬化装置である。多くの個人、特に女性による利用が考えられる。
【符号の説明】
【００５２】
１    樹脂硬化装置
２    台部
２１  スリット
２２  指位置ガイド
２３  紫外線照射域
３    発光蓋部
３１  指挿入孔
３２  発光体（紫外線ＬＥＤ）
３３  天井部
３４  側部
４    ネイルフォーム
４１  延長爪（樹脂）
４２  シート体（突起部）
４３  爪孔
４４  台紙
５    指
５１  爪
【図１】
2016016165.tif 000003
【図２】
2016016165.tif 000004
【図３】
2016016165.tif 000005
【図４】
2016016165.tif 000006
【図５】
2016016165.tif 000007
【図６】
2016016165.tif 000008
【図７】
2016016165.tif 000009
【図８】
2016016165.tif 000010